(57)【特許請求の範囲】
【請求項１】
室内温度を検出する温度検出手段と、
室内機の内部に配置された室内ファンとを備えており、
運転停止時において、前記温度検出手段で検出された室内温度に基づいて、運転開始を促す報知が自動的に行われるお知らせモードを有し、
室内温度が所定温度以上の高温である場合に、前記室内ファンが駆動され、
前記室内ファンが駆動された後の室内温度が所定温度以上の高温である場合に、室内ファンが継続して駆動されることを特徴とする空気調和機。
【請求項２】
前記室内ファンが駆動された後に、室内温度が所定温度以上の高温である状態が、所定時間継続した場合に、前記報知が行われることを特徴とする請求項１に記載の空気調和機。
【請求項３】
前記室内ファンが駆動された後の室内温度が、上昇傾向にある場合に、前記報知が行われることを特徴とする請求項１に記載の空気調和機。
【請求項４】
外気温度を検出する外気温度検出手段を備えており、
前記外気温度検出手段によって検出された外気温度が所定の外気温度以下である場合は、お知らせが報知されないことを特徴とする請求項１〜３のいずれか１項に記載の空気調和機。
【請求項５】
冷房運転、暖房運転又は自動運転を選択して運転開始操作を行うコントローラを備えており、
お知らせモードでは、前記コントローラにおいて暖房運転を選択して運転開始操作を行うことができないことを特徴とする請求項１〜４のいずれか１項に記載の空気調和機。
【請求項６】
お知らせモードでは、前記コントローラにおいて自動運転だけを選択して運転開始操作を行うことができることを特徴とする請求項５に記載の空気調和機。
【請求項７】
冷房運転、暖房運転又は自動運転を選択して運転開始操作を行うコントローラを備えており、
前記お知らせモードでは、前記報知が行われた後に、前記コントローラにおいて冷房運転又は自動運転を選択して運転開始操作が行われるまで、前記報知が継続して行われることを特徴とする請求項１〜６のいずれか１項に記載の空気調和機。
【請求項８】
冷房運転、暖房運転又は自動運転を選択して運転開始操作を行うコントローラを備えており、
お知らせモードでは、前記報知が行われた後に前記コントローラにおいて冷房運転を選択して運転開始操作が行われたときに、その設定温度が所定温度以上である場合に、設定温度を低くするように促す報知が行われることを特徴とする請求項１〜７のいずれか１項に記載の空気調和機。
【請求項９】
室内温度を検出する温度検出手段と、
室内機の内部に配置された室内ファンとを備えており、
運転停止時において、前記温度検出手段で検出された室内温度に基づいて、運転開始を促す報知が自動的に行われるお知らせモードを有し、
室内温度が所定温度以上の高温である場合に、前記室内ファンが駆動され、
前記室内ファンが駆動された後に、室内温度が所定温度以上の高温である状態が、所定時間継続した場合に、前記報知が行われることを特徴とする空気調和機。
【請求項１０】
室内温度を検出する温度検出手段と、
室内機の内部に配置された室内ファンとを備えており、
運転停止時において、前記温度検出手段で検出された室内温度に基づいて、運転開始を促す報知が自動的に行われるお知らせモードを有し、
室内温度が所定温度以上の高温である場合に、前記室内ファンが駆動され、
前記室内ファンが駆動された後の室内温度が、上昇傾向にある場合に、前記報知が行われることを特徴とする空気調和機。
【請求項１１】
外気温度を検出する外気温度検出手段を備えており、
前記外気温度検出手段によって検出された外気温度が所定の外気温度以下である場合は、お知らせが報知されないことを特徴とする請求項９または１０に記載の空気調和機。
【請求項１２】
冷房運転、暖房運転又は自動運転を選択して運転開始操作を行うコントローラを備えており、
お知らせモードでは、前記コントローラにおいて暖房運転を選択して運転開始操作を行うことができないことを特徴とする請求項９〜１１のいずれか１項に記載の空気調和機。
【請求項１３】
お知らせモードでは、前記コントローラにおいて自動運転だけを選択して運転開始操作を行うことができることを特徴とする請求項１２に記載の空気調和機。
【請求項１４】
冷房運転、暖房運転又は自動運転を選択して運転開始操作を行うコントローラを備えており、
前記お知らせモードでは、前記報知が行われた後に、前記コントローラにおいて冷房運転又は自動運転を選択して運転開始操作が行われるまで、前記報知が継続して行われることを特徴とする請求項９〜１３のいずれか１項に記載の空気調和機。
【請求項１５】
冷房運転、暖房運転又は自動運転を選択して運転開始操作を行うコントローラを備えており、
お知らせモードでは、前記報知が行われた後に前記コントローラにおいて冷房運転を選択して運転開始操作が行われたときに、その設定温度が所定温度以上である場合に、設定温度を低くするように促す報知が行われることを特徴とする請求項９〜１４のいずれか１項に記載の空気調和機。
【請求項１６】
室内温度を検出する温度検出手段と、
外気温度を検出する外気温度検出手段とを備えており、
運転停止時において、前記温度検出手段で検出された室内温度に基づいて、運転開始を促す報知が自動的に行われるお知らせモードを有し、
前記外気温度検出手段によって検出された外気温度が所定の外気温度以下である場合は、お知らせが報知されないことを特徴とする空気調和機。
【請求項１７】
冷房運転、暖房運転又は自動運転を選択して運転開始操作を行うコントローラを備えており、
お知らせモードでは、前記コントローラにおいて暖房運転を選択して運転開始操作を行うことができないことを特徴とする請求項１６に記載の空気調和機。
【請求項１８】
お知らせモードでは、前記コントローラにおいて自動運転だけを選択して運転開始操作を行うことができることを特徴とする請求項１７に記載の空気調和機。
【請求項１９】
冷房運転、暖房運転又は自動運転を選択して運転開始操作を行うコントローラを備えており、
前記お知らせモードでは、前記報知が行われた後に、前記コントローラにおいて冷房運転又は自動運転を選択して運転開始操作が行われるまで、前記報知が継続して行われることを特徴とする請求項１６〜１８のいずれか１項に記載の空気調和機。
【請求項２０】
冷房運転、暖房運転又は自動運転を選択して運転開始操作を行うコントローラを備えており、
お知らせモードでは、前記報知が行われた後に前記コントローラにおいて冷房運転を選択して運転開始操作が行われたときに、その設定温度が所定温度以上である場合に、設定温度を低くするように促す報知が行われることを特徴とする請求項１６〜１９のいずれか１項に記載の空気調和機。
【請求項２１】
室内温度を検出する温度検出手段と、
室内機の内部に配置された室内ファンとを備えており、
運転停止時において、前記温度検出手段で検出された室内温度に基づいて、運転開始を促す報知が自動的に行われるお知らせモードを有し、
冷房運転、暖房運転又は自動運転を選択して運転開始操作を行うコントローラを備えており、
お知らせモードでは、前記コントローラにおいて暖房運転を選択して運転開始操作を行うことができないことを特徴とする空気調和機。
【請求項２２】
お知らせモードでは、前記コントローラにおいて自動運転だけを選択して運転開始操作を行うことができることを特徴とする請求項２１に記載の空気調和機。
【請求項２３】
冷房運転、暖房運転又は自動運転を選択して運転開始操作を行うコントローラを備えており、
前記お知らせモードでは、前記報知が行われた後に、前記コントローラにおいて冷房運転又は自動運転を選択して運転開始操作が行われるまで、前記報知が継続して行われることを特徴とする請求項２１または２２に記載の空気調和機。
【請求項２４】
冷房運転、暖房運転又は自動運転を選択して運転開始操作を行うコントローラを備えており、
お知らせモードでは、前記報知が行われた後に前記コントローラにおいて冷房運転を選択して運転開始操作が行われたときに、その設定温度が所定温度以上である場合に、設定温度を低くするように促す報知が行われることを特徴とする請求項２１〜２３のいずれか１項に記載の空気調和機。
【請求項２５】
室内温度を検出する温度検出手段と、
冷房運転、暖房運転又は自動運転を選択して運転開始操作を行うコントローラとを備えており、
運転停止時において、前記温度検出手段で検出された室内温度に基づいて、運転開始を促す報知が自動的に行われるお知らせモードを有し、
前記お知らせモードでは、前記報知が行われた後に、前記コントローラにおいて冷房運転又は自動運転を選択して運転開始操作が行われるまで、前記報知が継続して行われることを特徴とする空気調和機。
【請求項２６】
冷房運転、暖房運転又は自動運転を選択して運転開始操作を行うコントローラを備えており、
お知らせモードでは、前記報知が行われた後に前記コントローラにおいて冷房運転を選択して運転開始操作が行われたときに、その設定温度が所定温度以上である場合に、設定温度を低くするように促す報知が行われることを特徴とする請求項２５に記載の空気調和機。
【請求項２７】
室内温度を検出する温度検出手段と、
冷房運転、暖房運転又は自動運転を選択して運転開始操作を行うコントローラとを備えており、
運転停止時において、前記温度検出手段で検出された室内温度に基づいて、運転開始を促す報知が自動的に行われるお知らせモードを有し、
お知らせモードでは、前記報知が行われた後に前記コントローラにおいて冷房運転を選択して運転開始操作が行われたときに、その設定温度が所定温度以上である場合に、設定温度を低くするように促す報知が行われることを特徴とする空気調和機。
【請求項２８】
室内温度が、室内ファンが駆動された状態で検出されたものであることを特徴とする請求項１６〜２７のいずれか１項に記載の空気調和機。
【請求項２９】
室内温度が所定温度以上の高温である場合に、前記室内ファンが駆動されることを特徴とする請求項２８に記載の空気調和機。
【請求項３０】
お知らせモードにおいて、定期的に所定送風時間、前記室内ファンが駆動されることを特徴とする請求項２８に記載の空気調和機。
【請求項３１】
室内ファンが駆動される場合に、室内ファンが低速で駆動されることを特徴とする請求項１〜３０のいずれか１項に記載の空気調和機。
【請求項３２】
室内機の吹出口において上下方向について吹き出し方向を変更する上下フラップを備えており、
室内ファンが駆動される場合に、吹き出し方向が上方向に変更されることを特徴とする請求項１〜３１のいずれか１項に記載の空気調和機。
【請求項３３】
室内温度が、室内機に取り付けられた温度検出センサにより検出された温度であることを特徴とする請求項１〜３２のいずれか１項に記載の空気調和機。
【請求項３４】
室内温度が、コントローラに取り付けられた温度検出センサにより検出された温度であることを特徴とする請求項１〜３２のいずれか１項に記載の空気調和機。
【請求項３５】
室内湿度を検出する湿度検出手段を備えており、
お知らせモードにおいて、室内温度に代えて、前記温度検出手段で検出された室内温度及び前記湿度検出手段で検出された室内湿度に基づいて、運転開始を促す報知が自動的に行われることを特徴とする請求項１〜３４のいずれか１項に記載の空気調和機。
【請求項３６】
室内湿度が、室内機に取り付けられた湿度検出センサにより検出された湿度であることを特徴とする請求項３５に記載の空気調和機。
【請求項３７】
室内湿度が、コントローラに取り付けられた湿度検出センサにより検出された湿度であることを特徴とする請求項３５に記載の空気調和機。
【発明の詳細な説明】
【技術分野】
【０００１】
本発明は、冷房運転等を行う空気調和機に関する。
【背景技術】
【０００２】
空気調和機は、冷房運転や暖房運転等を行うものが一般的であって、ユーザがコントロ
ーラに対して冷房運転等を選択して運転開始操作を行った場合に、冷房運転等の運転が開
始される。
【先行技術文献】
【特許文献】
【０００３】
【特許文献１】特開２００９−１６８３２７号公報
【発明の概要】
【発明が解決しようとする課題】
【０００４】
したがって、室内温度や室内湿度が高い状態であっても、ユーザがコントローラに対し
て運転開始操作を行わない場合、空気調和機の運転が開始されない。そのため、ユーザが
熱中症等になることがある。
【０００５】
そこで、本発明は、運転停止時において、運転開始を促す報知を行う空気調和機を提供
することを目的とする。
【課題を解決するための手段】
【０００６】
第１の発明に係る空気調和機は、室内温度を検出する温度検出手段と、室内機の内部に
配置された室内ファンとを備えており、運転停止時において、前記温度検出手段で検出さ
れた室内温度に基づいて、運転開始を促す報知が自動的に行われるお知らせモードを有し
、室内温度が所定温度以上の高温である場合に、前記室内ファンが駆動され、前記室内フ
ァンが駆動された後の室内温度が所定温度以上の高温である場合に、室内ファンが継続し
て駆動される。
【０００７】
この空気調和機では、室内が室内温度を低下させる必要のある状態になった場合に、運
転開始を促す報知が自動的に行われる。したがって、室内温度が高い状態で長時間継続さ
れるのを抑制できるので、ユーザが熱中症等になることを防止できる。
この空気調和機では、室内ファンが駆動されて室内機の内部に空気が流れた状態での室
内温度に基づいて運転開始を促す報知を行うかを判定するので、室内温度検出手段が室内
機の内部にあって運転停止時において室内機の内部に熱がこもった場合でも、室内温度を
適正に検出できる。
この空気調和機では、室内温度が、運転開始を促す報知が行われる範囲に近付いた場合
に、室内ファンを駆動することができる。したがって、室内温度を適正に検出して運転開
始を促す報知が行われるかを判定できる。
この空気調和機では、室内温度が、運転開始を促す報知が行われる範囲の近くにある場
合に、室内ファンの駆動を継続できる。したがって、室内温度を適正に検出して運転開始
を促す報知を行うかを判定できる。
【０００８】
ここで、本発明には、室内温度及び室内湿度に基づいて運転開始を促す報知が行われる
場合と、室内温度に基づいて運転開始を促す報知が行われる場合を含む。
【０００９】
第２の発明に係る空気調和機は、第１の発明において、前記室内ファンが駆動された後
に、室内温度が所定温度以上の高温である状態が、所定時間継続した場合に、前記報知が
行われる。
【００１０】
この空気調和機では、室内温度が、強制運転が開始される範囲の近くに所定時間ある場
合に、運転開始を促す報知が行われる。したがって、室内温度が、報知が必要となる前に
報知を行って、室内温度を低下させることが必要なことをユーザに知らせることができる
。
【００１１】
第３の発明に係る空気調和機は、第１の発明において、前記室内ファンが駆動された後
の室内温度が、上昇傾向にある場合に、前記報知が行われる。
【００１２】
この空気調和機では、室内ファンが駆動された後の室内温度が上昇傾向にある場合に、
運転開始を促す報知が行われる。したがって、運転開始が必要となる前に報知を開始して
、室内温度を低下させることが必要なことをユーザに知らせることができる。
【００１３】
第４の発明に係る空気調和機は、第１〜第３のいずれかの発明において、外気温度を検
出する外気温度検出手段を備えており、前記外気温度検出手段によって検出された外気温
度が所定の外気温度以下である場合は、お知らせが報知されない。
【００１４】
この空気調和機では、外気温度が低く冷房運転が不要な場合に、冷房運転が開始されな
いようにすることができる。
【００１５】
第５の発明に係る空気調和機は、第１〜第４のいずれかの発明において、冷房運転、暖
房運転又は自動運転を選択して運転開始操作を行うコントローラを備えており、お知らせ
モードでは、前記コントローラにおいて暖房運転を選択して運転開始操作を行うことがで
きない。
【００１６】
この空気調和機では、お知らせモードにおいて、誤って暖房運転が開始されるのを防止
できる。
【００１７】
第６の発明に係る空気調和機は、第５の発明において、お知らせモードでは、前記コン
トローラにおいて自動運転だけを選択して運転開始操作を行うことができる。
【００１８】
この空気調和機では、お知らせモードにおいて、外気温度が低いときに暖房運転が行わ
れる。
【００１９】
第７の発明に係る空気調和機は、第１〜第６のいずれかの発明において、冷房運転、暖
房運転又は自動運転を選択して運転開始操作を行うコントローラを備えており、前記お知
らせモードでは、前記報知が行われた後に、前記コントローラにおいて冷房運転又は自動
運転を選択して運転開始操作が行われるまで、前記報知が継続して行われる。
【００２０】
この空気調和機では、ユーザが冷房運転又は自動運転を選択するまで報知が継続される
ので、室内温度が高い状態で長時間継続されるのを抑制できる。
【００２１】
第８の発明に係る空気調和機は、第１〜第７のいずれかの発明において、冷房運転、暖
房運転又は自動運転を選択して運転開始操作を行うコントローラを備えており、お知らせ
モードでは、前記報知が行われた後に前記コントローラにおいて冷房運転を選択して運転
開始操作が行われたときに、その設定温度が所定温度以上である場合に、設定温度を低く
するように促す報知が行われる。
【００２２】
この空気調和機では、ユーザが冷房運転を選択した場合でも、設定温度が所定温度以上
である場合に、設定温度を低くするように促す報知が行われる。したがって、冷房運転が
開始された場合でも、室内温度が高い状態で長時間継続されるのを抑制できる。
【００２３】
第９の発明に係る空気調和機は、室内温度を検出する温度検出手段と、室内機の内部に配置された室内ファンとを備えており、運転停止時において、前記温度検出手段で検出された室内温度に基づいて、運転開始を促す報知が自動的に行われるお知らせモードを有し、室内温度が所定温度以上の高温である場合に、前記室内ファンが駆動され、前記室内ファンが駆動された後に、室内温度が所定温度以上の高温である状態が、所定時間継続した場合に、前記報知が行われることを特徴とする。
【００２４】
この空気調和機では、室内が室内温度を低下させる必要のある状態になった場合に、運
転開始を促す報知が自動的に行われる。したがって、室内温度が高い状態で長時間継続さ
れるのを抑制できるので、ユーザが熱中症等になることを防止できる。
この空気調和機では、室内ファンが駆動されて室内機の内部に空気が流れた状態での室
内温度に基づいて運転開始を促す報知を行うかを判定するので、室内温度検出手段が室内
機の内部にあって運転停止時において室内機の内部に熱がこもった場合でも、室内温度を
適正に検出できる。
この空気調和機では、室内温度が、強制運転が開始される範囲の近くに所定時間ある場
合に、運転開始を促す報知が行われる。したがって、室内温度が、報知が必要となる前に
報知を行って、室内温度を低下させることが必要なことをユーザに知らせることができる
。
この空気調和機では、室内温度が、運転開始を促す報知が行われる範囲に近付いた場合
に、室内ファンを駆動することができる。したがって、室内温度を適正に検出して運転開
始を促す報知が行われるかを判定できる。
【００２５】
第１０の発明に係る空気調和機は、室内温度を検出する温度検出手段と、室内機の内部に配置された室内ファンとを備えており、運転停止時において、前記温度検出手段で検出された室内温度に基づいて、運転開始を促す報知が自動的に行われるお知らせモードを有し、室内温度が所定温度以上の高温である場合に、前記室内ファンが駆動され、前記室内ファンが駆動された後の室内温度が、上昇傾向にある場合に、前記報知が行われることを特徴とする。
【００２６】
この空気調和機では、室内が室内温度を低下させる必要のある状態になった場合に、運
転開始を促す報知が自動的に行われる。したがって、室内温度が高い状態で長時間継続さ
れるのを抑制できるので、ユーザが熱中症等になることを防止できる。
この空気調和機では、室内ファンが駆動されて室内機の内部に空気が流れた状態での室
内温度に基づいて運転開始を促す報知を行うかを判定するので、室内温度検出手段が室内
機の内部にあって運転停止時において室内機の内部に熱がこもった場合でも、室内温度を
適正に検出できる。
この空気調和機では、室内ファンが駆動された後の室内温度が上昇傾向にある場合に、
運転開始を促す報知が行われる。したがって、運転開始が必要となる前に報知を開始して
、室内温度を低下させることが必要なことをユーザに知らせることができる。
この空気調和機では、室内温度が、運転開始を促す報知が行われる範囲に近付いた場合
に、室内ファンを駆動することができる。したがって、室内温度を適正に検出して運転開
始を促す報知が行われるかを判定できる。
【００２７】
【００２８】
【００２９】
【００３０】
【００３１】
第１１の発明に係る空気調和機は、第９または第１０の発明において、外気温度を検出する外気温度検出手段を備えており、前記外気温度検出手段によって検出された外気温度が所定の外気温度以下である場合は、お知らせが報知されない。
【００３２】
この空気調和機では、外気温度が低く冷房運転が不要な場合に、冷房運転が開始されな
いようにすることができる。
【００３３】
第１２の発明に係る空気調和機は、第９〜第１１のいずれかの発明において、冷房運転
、暖房運転又は自動運転を選択して運転開始操作を行うコントローラを備えており、お知
らせモードでは、前記コントローラにおいて暖房運転を選択して運転開始操作を行うこと
ができない。
【００３４】
この空気調和機では、お知らせモードにおいて、誤って暖房運転が開始されるのを防止
できる。
【００３５】
第１３の発明に係る空気調和機は、第１２の発明において、お知らせモードでは、前記
コントローラにおいて自動運転だけを選択して運転開始操作を行うことができる。
【００３６】
この空気調和機では、お知らせモードにおいて、外気温度が低いときに暖房運転が行わ
れる。
第１４の発明に係る空気調和機は、第９〜第１３のいずれかの発明において、冷房運転
、暖房運転又は自動運転を選択して運転開始操作を行うコントローラを備えており、前記
お知らせモードでは、前記報知が行われた後に、前記コントローラにおいて冷房運転又は
自動運転を選択して運転開始操作が行われるまで、前記報知が継続して行われる。
この空気調和機では、ユーザが冷房運転又は自動運転を選択するまで報知が継続される
ので、室内温度が高い状態で長時間継続されるのを抑制できる。
第１５の発明に係る空気調和機は、第９〜第１４のいずれかの発明において、冷房運転
、暖房運転又は自動運転を選択して運転開始操作を行うコントローラを備えており、お知
らせモードでは、前記報知が行われた後に前記コントローラにおいて冷房運転を選択して
運転開始操作が行われたときに、その設定温度が所定温度以上である場合に、設定温度を
低くするように促す報知が行われる。
この空気調和機では、ユーザが冷房運転を選択した場合でも、設定温度が所定温度以上
である場合に、設定温度を低くするように促す報知が行われる。したがって、冷房運転が
開始された場合でも、室内温度が高い状態で長時間継続されるのを抑制できる。
第１６の発明に係る空気調和機は、室内温度を検出する温度検出手段と、外気温度を検
出する外気温度検出手段とを備えており、運転停止時において、前記温度検出手段で検出
された室内温度に基づいて、運転開始を促す報知が自動的に行われるお知らせモードを有
し、前記外気温度検出手段によって検出された外気温度が所定の外気温度以下である場合
は、お知らせが報知されない。
この空気調和機では、室内が室内温度を低下させる必要のある状態になった場合に、運
転開始を促す報知が自動的に行われる。したがって、室内温度が高い状態で長時間継続さ
れるのを抑制できるので、ユーザが熱中症等になることを防止できる。
この空気調和機では、外気温度が低く冷房運転が不要な場合に、冷房運転が開始されな
いようにすることができる。
第１７の発明に係る空気調和機は、第１６の発明において、冷房運転、暖房運転又は自
動運転を選択して運転開始操作を行うコントローラを備えており、お知らせモードでは、
前記コントローラにおいて暖房運転を選択して運転開始操作を行うことができない。
この空気調和機では、お知らせモードにおいて、誤って暖房運転が開始されるのを防止
できる。
第１８の発明に係る空気調和機は、第１７の発明において、お知らせモードでは、前記
コントローラにおいて自動運転だけを選択して運転開始操作を行うことができる。
この空気調和機では、お知らせモードにおいて、外気温度が低いときに暖房運転が行わ
れる。
第１９の発明に係る空気調和機は、第１６〜第１８のいずれかの発明において、冷房運
転、暖房運転又は自動運転を選択して運転開始操作を行うコントローラを備えており、前
記お知らせモードでは、前記報知が行われた後に、前記コントローラにおいて冷房運転又
は自動運転を選択して運転開始操作が行われるまで、前記報知が継続して行われる。
この空気調和機では、ユーザが冷房運転又は自動運転を選択するまで報知が継続される
ので、室内温度が高い状態で長時間継続されるのを抑制できる。
第２０の発明に係る空気調和機は、第１６〜第１９のいずれかの発明において、冷房運
転、暖房運転又は自動運転を選択して運転開始操作を行うコントローラを備えており、お
知らせモードでは、前記報知が行われた後に前記コントローラにおいて冷房運転を選択し
て運転開始操作が行われたときに、その設定温度が所定温度以上である場合に、設定温度
を低くするように促す報知が行われる。
この空気調和機では、ユーザが冷房運転を選択した場合でも、設定温度が所定温度以上
である場合に、設定温度を低くするように促す報知が行われる。したがって、冷房運転が
開始された場合でも、室内温度が高い状態で長時間継続されるのを抑制できる。
第２１の発明に係る空気調和機は、室内温度を検出する温度検出手段と、室内機の内部
に配置された室内ファンとを備えており、運転停止時において、前記温度検出手段で検出
された室内温度に基づいて、運転開始を促す報知が自動的に行われるお知らせモードを有
し、冷房運転、暖房運転又は自動運転を選択して運転開始操作を行うコントローラを備え
ており、お知らせモードでは、前記コントローラにおいて暖房運転を選択して運転開始操
作を行うことができない。
この空気調和機では、室内が室内温度を低下させる必要のある状態になった場合に、運
転開始を促す報知が自動的に行われる。したがって、室内温度が高い状態で長時間継続さ
れるのを抑制できるので、ユーザが熱中症等になることを防止できる。
この空気調和機では、お知らせモードにおいて、誤って暖房運転が開始されるのを防止
できる。
第２２の発明に係る空気調和機は、第２１の発明において、お知らせモードでは、前記
コントローラにおいて自動運転だけを選択して運転開始操作を行うことができる。
この空気調和機では、お知らせモードにおいて、外気温度が低いときに暖房運転が行わ
れる。
第２３の発明に係る空気調和機は、第２１または第２２の発明において、冷房運転、暖
房運転又は自動運転を選択して運転開始操作を行うコントローラを備えており、前記お知
らせモードでは、前記報知が行われた後に、前記コントローラにおいて冷房運転又は自動
運転を選択して運転開始操作が行われるまで、前記報知が継続して行われる。
この空気調和機では、ユーザが冷房運転又は自動運転を選択するまで報知が継続される
ので、室内温度が高い状態で長時間継続されるのを抑制できる。
第２４の発明に係る空気調和機は、第２１〜第２３のいずれかの発明において、冷房運
転、暖房運転又は自動運転を選択して運転開始操作を行うコントローラを備えており、お
知らせモードでは、前記報知が行われた後に前記コントローラにおいて冷房運転を選択し
て運転開始操作が行われたときに、その設定温度が所定温度以上である場合に、設定温度
を低くするように促す報知が行われる。
この空気調和機では、ユーザが冷房運転を選択した場合でも、設定温度が所定温度以上
である場合に、設定温度を低くするように促す報知が行われる。したがって、冷房運転が
開始された場合でも、室内温度が高い状態で長時間継続されるのを抑制できる。
第２５の発明に係る空気調和機は、室内温度を検出する温度検出手段と、冷房運転、暖
房運転又は自動運転を選択して運転開始操作を行うコントローラとを備えており、運転停
止時において、前記温度検出手段で検出された室内温度に基づいて、運転開始を促す報知
が自動的に行われるお知らせモードを有し、前記お知らせモードでは、前記報知が行われ
た後に、前記コントローラにおいて冷房運転又は自動運転を選択して運転開始操作が行わ
れるまで、前記報知が継続して行われる。
この空気調和機では、室内が室内温度を低下させる必要のある状態になった場合に、運
転開始を促す報知が自動的に行われる。したがって、室内温度が高い状態で長時間継続さ
れるのを抑制できるので、ユーザが熱中症等になることを防止できる。
この空気調和機では、ユーザが冷房運転又は自動運転を選択するまで報知が継続される
ので、室内温度が高い状態で長時間継続されるのを抑制できる。
第２６の発明に係る空気調和機は、第２５の発明において、冷房運転、暖房運転又は自
動運転を選択して運転開始操作を行うコントローラを備えており、お知らせモードでは、
前記報知が行われた後に前記コントローラにおいて冷房運転を選択して運転開始操作が行
われたときに、その設定温度が所定温度以上である場合に、設定温度を低くするように促
す報知が行われる。
この空気調和機では、ユーザが冷房運転を選択した場合でも、設定温度が所定温度以上
である場合に、設定温度を低くするように促す報知が行われる。したがって、冷房運転が
開始された場合でも、室内温度が高い状態で長時間継続されるのを抑制できる。
第２７の発明に係る空気調和機は、室内温度を検出する温度検出手段と、冷房運転、暖
房運転又は自動運転を選択して運転開始操作を行うコントローラとを備えており、運転停
止時において、前記温度検出手段で検出された室内温度に基づいて、運転開始を促す報知
が自動的に行われるお知らせモードを有し、お知らせモードでは、前記報知が行われた後
に前記コントローラにおいて冷房運転を選択して運転開始操作が行われたときに、その設
定温度が所定温度以上である場合に、設定温度を低くするように促す報知が行われる。
この空気調和機では、室内が室内温度を低下させる必要のある状態になった場合に、運
転開始を促す報知が自動的に行われる。したがって、室内温度が高い状態で長時間継続さ
れるのを抑制できるので、ユーザが熱中症等になることを防止できる。
この空気調和機では、ユーザが冷房運転を選択した場合でも、設定温度が所定温度以上
である場合に、設定温度を低くするように促す報知が行われる。したがって、冷房運転が
開始された場合でも、室内温度が高い状態で長時間継続されるのを抑制できる。
第２８の発明に係る空気調和機は、第１６〜第２７のいずれかの発明において、室内温
度が、室内ファンが駆動された状態で検出されたものである。
この空気調和機では、室内ファンが駆動されて室内機の内部に空気が流れた状態での室
内温度に基づいて運転開始を促す報知を行うかを判定するので、室内温度検出手段が室内
機の内部にあって運転停止時において室内機の内部に熱がこもった場合でも、室内温度を
適正に検出できる。
第２９の発明に係る空気調和機は、第２８の発明において、室内温度が所定温度以上の
高温である場合に、前記室内ファンが駆動される。
この空気調和機では、室内温度が、運転開始を促す報知が行われる範囲に近付いた場合
に、室内ファンを駆動することができる。したがって、室内温度を適正に検出して運転開
始を促す報知が行われるかを判定できる。
第３０の発明に係る空気調和機は、第２８の発明において、お知らせモードにおいて、
定期的に所定送風時間、前記室内ファンが駆動される。
この空気調和機では、お知らせモードにおいて室内ファンが定期的に駆動されるので、
室内温度を適正に検出して運転開始を促す報知が行われるかを判定できる。
第３１の発明に係る空気調和機は、第１〜第３０のいずれかの発明において、室内ファンが駆動される場合に、室内ファンが低速で駆動される。
この空気調和機では、室内ファンが駆動されるときの風量を冷房運転時よりも小さくす
ることによって、ユーザーの負担を軽減できる。
第３２の発明に係る空気調和機は、第１〜第３１のいずれかの発明において、室内機の
吹出口において上下方向について吹き出し方向を変更する上下フラップを備えており、室内ファンが駆動される場合に、吹き出し方向が上方向に変更される。
この空気調和機では、室内ファンが駆動されるときの吹き出し方向を上方向に変更する
ことによって、室内機からの風がユーザに直接吹き出されないので、ユーザの負担を軽減
できる。
【００３７】
第３３の発明に係る空気調和機は、第１〜第３２のいずれかの発明において、室内温度
が、室内機に取り付けられた温度検出センサにより検出された温度である。
【００３８】
この空気調和機では、室内機周辺の温度を考慮して強制運転を開始できる。
【００３９】
第３４の発明に係る空気調和機は、第１〜第３２のいずれかの発明において、室内温度が、コントローラに取り付けられた温度検出センサにより検出された温度である。
【００４０】
この空気調和機では、コントローラ周辺の温度を考慮して強制運転を開始できる。
【００４１】
第３５の発明に係る空気調和機は、第１〜第３４のいずれかの発明において、室内湿度
を検出する湿度検出手段を備えており、室内温度に代えて、前記温度検知手段で検出され
た室内温度及び前記湿度検知段で検出された室内湿度を用いる。
この空気調和機では、第１〜第３４のいずれかの発明と同様に効果が得られる。
第３６の発明に係る空気調和機は、第３５の発明において、室内湿度が、室内機に取り
付けられた湿度検出センサにより検出された湿度である。
【００４２】
この空気調和機では、室内機周辺の湿度を考慮して強制運転を開始できる。
【００４３】
第３７の発明に係る空気調和機は、第３５の発明において、コントローラに取り付けら
れた湿度検出センサにより検出された湿度である。
【００４４】
この空気調和機では、コントローラ周辺の温度を考慮して強制運転を開始できる。
【発明の効果】
【００４５】
以上の説明に述べたように、本発明によれば、以下の効果が得られる。
【００４６】
第１の発明では、室内が室内温度を低下させる必要のある状態になった場合に、運転開
始を促す報知が自動的に行われる。したがって、室内温度が高い状態で長時間継続される
のを抑制できるので、ユーザが熱中症等になることを防止できる。
第１の発明では、室内ファンが駆動されて室内機の内部に空気が流れた状態での室内温
度に基づいて運転開始を促す報知を行うかを判定するので、室内温度検出手段が室内機の
内部にあって運転停止時において室内機の内部に熱がこもった場合でも、室内温度を適正
に検出できる。
第１の発明では、室内温度が、運転開始を促す報知が行われる範囲に近付いた場合に、
室内ファンを駆動することができる。したがって、室内温度を適正に検出して運転開始を
促す報知が行われるかを判定できる。
第１の発明では、室内温度が、運転開始を促す報知が行われる範囲の近くにある場合に
、室内ファンの駆動を継続できる。したがって、室内温度を適正に検出して運転開始を促
す報知を行うかを判定できる。
【００４７】
第２の発明では、室内温度が、強制運転が開始される範囲の近くに所定時間ある場合に
、運転開始を促す報知が行われる。したがって、室内温度が、報知が必要となる前に報知
を行って、室内温度を低下させることが必要なことをユーザに知らせることができる。
【００４８】
第３の発明では、室内ファンが駆動された後の室内温度が上昇傾向にある場合に、運転
開始を促す報知が行われる。したがって、運転開始が必要となる前に報知を開始して、室
内温度を低下させることが必要なことをユーザに知らせることができる。
【００４９】
第４の発明では、外気温度が低く冷房運転が不要な場合に、冷房運転が開始されないよ
うにすることができる。
【００５０】
第５の発明では、お知らせモードにおいて、誤って暖房運転が開始されるのを防止でき
る。
【００５１】
第６の発明では、お知らせモードにおいて、外気温度が低いときに暖房運転が行われる
。
【００５２】
第７の発明では、ユーザが冷房運転又は自動運転を選択するまで報知が継続されるので
、室内温度が高い状態で長時間継続されるのを抑制できる。
【００５３】
第８の発明では、ユーザが冷房運転を選択した場合でも、設定温度が所定温度以上であ
る場合に、設定温度を低くするように促す報知が行われる。したがって、冷房運転が開始
された場合でも、室内温度が高い状態で長時間継続されるのを抑制できる。
【００５４】
第９の発明では、室内が室内温度を低下させる必要のある状態になった場合に、運転開
始を促す報知が自動的に行われる。したがって、室内温度が高い状態で長時間継続される
のを抑制できるので、ユーザが熱中症等になることを防止できる。
第９の発明では、室内ファンが駆動されて室内機の内部に空気が流れた状態での室内温
度に基づいて運転開始を促す報知を行うかを判定するので、室内温度検出手段が室内機の
内部にあって運転停止時において室内機の内部に熱がこもった場合でも、室内温度を適正
に検出できる。
第９の発明では、室内温度が、強制運転が開始される範囲の近くに所定時間ある場合に
、運転開始を促す報知が行われる。したがって、室内温度が、報知が必要となる前に報知
を行って、室内温度を低下させることが必要なことをユーザに知らせることができる。
第９の発明では、室内温度が、運転開始を促す報知が行われる範囲に近付いた場合に
、室内ファンを駆動することができる。したがって、室内温度を適正に検出して運転開始
を促す報知が行われるかを判定できる。
【００５５】
第１０の発明では、室内が室内温度を低下させる必要のある状態になった場合に、運転
開始を促す報知が自動的に行われる。したがって、室内温度が高い状態で長時間継続され
るのを抑制できるので、ユーザが熱中症等になることを防止できる。
第１０の発明では、室内ファンが駆動されて室内機の内部に空気が流れた状態での室内
温度に基づいて運転開始を促す報知を行うかを判定するので、室内温度検出手段が室内機
の内部にあって運転停止時において室内機の内部に熱がこもった場合でも、室内温度を適
正に検出できる。
第１０の発明では、室内ファンが駆動された後の室内温度が上昇傾向にある場合に、運
転開始を促す報知が行われる。したがって、運転開始が必要となる前に報知を開始して、
室内温度を低下させることが必要なことをユーザに知らせることができる。
【００５６】
第１０の発明では、室内温度が、運転開始を促す報知が行われる範囲に近付いた場合に
、室内ファンを駆動することができる。したがって、室内温度を適正に検出して運転開始
を促す報知が行われるかを判定できる。
【００５７】
【００５８】
第１１の発明では、外気温度が低く冷房運転が不要な場合に、冷房運転が開始されない
ようにすることができる。
【００５９】
第１２の発明では、お知らせモードにおいて、誤って暖房運転が開始されるのを防止で
きる。
【００６０】
第１３の発明では、お知らせモードにおいて、外気温度が低いときに暖房運転が行われ
る。
第１４の発明では、ユーザが冷房運転又は自動運転を選択するまで報知が継続される
ので、室内温度が高い状態で長時間継続されるのを抑制できる。
第１５の発明では、ユーザが冷房運転を選択した場合でも、設定温度が所定温度以上である場合に、設定温度を低くするように促す報知が行われる。したがって、冷房運転が開始された場合でも、室内温度が高い状態で長時間継続されるのを抑制できる。
第１６の発明では、室内が室内温度を低下させる必要のある状態になった場合に、運転開始を促す報知が自動的に行われる。したがって、室内温度が高い状態で長時間継続されるのを抑制できるので、ユーザが熱中症等になることを防止できる。
第１６の発明では、外気温度が低く冷房運転が不要な場合に、冷房運転が開始されな
いようにすることができる。
第１７の発明では、お知らせモードにおいて、誤って暖房運転が開始されるのを防止できる。
第１８の発明では、お知らせモードにおいて、外気温度が低いときに暖房運転が行われる。
第１９の発明では、ユーザが冷房運転又は自動運転を選択するまで報知が継続されるので、室内温度が高い状態で長時間継続されるのを抑制できる。
第２０の発明では、ユーザが冷房運転を選択した場合でも、設定温度が所定温度以上である場合に、設定温度を低くするように促す報知が行われる。したがって、冷房運転が開始された場合でも、室内温度が高い状態で長時間継続されるのを抑制できる。
第２１の発明では、室内が室内温度を低下させる必要のある状態になった場合に、運
転開始を促す報知が自動的に行われる。したがって、室内温度が高い状態で長時間継続さ
れるのを抑制できるので、ユーザが熱中症等になることを防止できる。
第２１の発明では、お知らせモードにおいて、誤って暖房運転が開始されるのを防止できる。
第２２の発明では、お知らせモードにおいて、外気温度が低いときに暖房運転が行われる。
第２３の発明では、ユーザが冷房運転又は自動運転を選択するまで報知が継続されるので、室内温度が高い状態で長時間継続されるのを抑制できる。
第２４の発明では、ユーザが冷房運転を選択した場合でも、設定温度が所定温度以上である場合に、設定温度を低くするように促す報知が行われる。したがって、冷房運転が開始された場合でも、室内温度が高い状態で長時間継続されるのを抑制できる。
第２５の発明では、室内が室内温度を低下させる必要のある状態になった場合に、運
転開始を促す報知が自動的に行われる。したがって、室内温度が高い状態で長時間継続さ
れるのを抑制できるので、ユーザが熱中症等になることを防止できる。
第２５の発明では、ユーザが冷房運転又は自動運転を選択するまで報知が継続される
ので、室内温度が高い状態で長時間継続されるのを抑制できる。
第２６の発明では、ユーザが冷房運転を選択した場合でも、設定温度が所定温度以上
である場合に、設定温度を低くするように促す報知が行われる。したがって、冷房運転が
開始された場合でも、室内温度が高い状態で長時間継続されるのを抑制できる。
第２７の発明では、室内が室内温度を低下させる必要のある状態になった場合に、運
転開始を促す報知が自動的に行われる。したがって、室内温度が高い状態で長時間継続さ
れるのを抑制できるので、ユーザが熱中症等になることを防止できる。
第２７の発明では、ユーザが冷房運転を選択した場合でも、設定温度が所定温度以上
である場合に、設定温度を低くするように促す報知が行われる。したがって、冷房運転が
開始された場合でも、室内温度が高い状態で長時間継続されるのを抑制できる。
第２８の発明では、室内ファンが駆動されて室内機の内部に空気が流れた状態での室内温度に基づいて運転開始を促す報知を行うかを判定するので、室内温度検出手段が室内機の内部にあって運転停止時において室内機の内部に熱がこもった場合でも、室内温度を適正に検出できる。
第２９の発明では、室内温度が、運転開始を促す報知が行われる範囲に近付いた場合に、室内ファンを駆動することができる。したがって、室内温度を適正に検出して運転開始を促す報知が行われるかを判定できる。
第３０の発明では、お知らせモードにおいて室内ファンが定期的に駆動されるので、室内温度を適正に検出して運転開始を促す報知が行われるかを判定できる。
第３１の発明では、室内ファンが駆動されるときの風量を冷房運転時よりも小さくすることによって、ユーザーの負担を軽減できる。
第３２の発明では、室内ファンが駆動されるときの吹き出し方向を上方向に変更することによって、室内機からの風がユーザに直接吹き出されないので、ユーザの負担を軽減できる。
【００６１】
第３３の発明では、室内機周辺の温度を考慮して強制運転を開始できる。
【００６２】
第３４の発明では、コントローラ周辺の温度を考慮して強制運転を開始できる。
【００６３】
第３５の発明では、第１〜第３４のいずれかの発明と同様に効果が得られる。
第３６の発明では、室内機周辺の湿度を考慮して強制運転を開始できる。
【００６４】
第３７の発明では、コントローラ周辺の温度を考慮して強制運転を開始できる。
【図面の簡単な説明】
【００６５】
【図１】本発明の第１実施形態に係る空気調和機の冷媒回路を示す回路図である。
【図２】本発明の第１実施形態に係る空気調和機の制御部を説明する図である。
【図３】（ａ）はコントローラの表面を示す図であり、（ｂ）はコントローラの裏面を示す図である。
【図４】第１実施形態のお知らせモードにおける判定図（室内湿度と室内温度との関係を示す図）である。
【図５】お知らせモードで運転される場合の制御を説明する図である。
【図６】第２実施形態におけるお知らせモードで運転される場合の制御を説明する図である。
【図７】第３実施形態におけるお知らせモードで運転される場合の制御を説明する図である。
【図８】第４実施形態のお知らせモードにおける判定図（室内湿度と室内温度との関係を示す図）である。
【図９】第４実施形態におけるお知らせモードで運転される場合の制御を説明する図である。
【図１０】第５実施形態におけるお知らせモードで運転される場合の制御を説明する図である。
【図１１】変形例のお知らせモードにおける判定図（室内湿度と室内温度との関係を示す図）である。
【発明を実施するための形態】
【００６６】
〔第１実施形態〕
以下、本発明の第１実施形態に係る空気調和機１について説明する。
【００６７】
＜空気調和機１の全体構成＞
図１に示すように、本実施形態の空気調和機１は、室内に設置される室内機２と、室外
に設置される室外機３とを備えている。そして、空気調和機１は、圧縮機１０と、四方弁
１１、室外熱交換器１２と、膨張弁（減圧機構）１３と、室内熱交換器１４とを接続した
冷媒回路を備えている。冷媒回路において、圧縮機１０の吐出口に四方弁１１を介して室
外熱交換器１２が接続され、その室外熱交換器１２に膨張弁１３が接続される。そして、
膨張弁１３に室内熱交換器１４の一端が接続され、その室内熱交換器１４の他端に四方弁
１１を介して圧縮機１０の吸込口が接続される。
【００６８】
空気調和機１は、自動運転、冷房運転、暖房運転、除湿運転及び送風運転のいずれかの
運転が可能であって、コントローラによって、いずれかの運転を選択して運転開始操作を
行ったり、運転切換操作や運転停止操作を行ったりすることができる。また、コントロー
ラでは、室内温度の設定温度を設定することができる。
【００６９】
冷房運転および除湿運転では、図示実線矢印で示すように、圧縮機１０から吐出された
冷媒が四方弁１１から室外熱交換器１２、膨張弁１３、室内熱交換器１４へと順に流れ、
室内熱交換器１４を経た冷媒が四方弁１１を通って圧縮機１０に戻る冷房サイクルまたは
除湿サイクルが形成される。すなわち、室外熱交換器１２が凝縮器、室内熱交換器１４が
蒸発器として機能する。
【００７０】
一方、暖房運転では、四方弁１１が切換わることにより、図示破線矢印で示すように、
圧縮機１０から吐出される冷媒が四方弁１１から室内熱交換器１４、膨張弁１３、室外熱
交換器１２へと順に流れ、室外熱交換器１２を経た冷媒が四方弁１１を通って圧縮機１０
に戻る暖房サイクルが形成される。すなわち、室内熱交換器１４が凝縮器、室外熱交換器
１２が蒸発器として機能する。
【００７１】
室内機２内には、室内熱交換器１４に対向した室内ファン１６が配置される。室内機２
の吹出口には、上下方向について吹き出し方向を変更する上下フラップ１７が配置される
。そして、室内機２には、報知を行う報知手段１８が配置される。図１に示すように、室
内機２に、室内温度を検出する室内温度センサ（室内温度検出手段）２１と、室内湿度を
検出する室内湿度センサ（室内湿度検出手段）２２が取付けられる。
【００７２】
図２に示すように、空気調和機１の制御部には、圧縮機１０と、四方弁１１、膨張弁１
３と、室内ファン１６を駆動するモータ１６ａと、上下フラップ１７を駆動するモータ１
７ａと、報知手段１８と、室内温度センサ２１と、室内湿度センサ２２と、コントローラ
３０とが接続される。したがって、制御部は、コントローラ３０からの指令（運転開始操
作や室内温度の設定温度等）や、室内温度センサ２１で検知される室内温度や、室内湿度
センサ２２で検知される室内湿度に基づいて、空気調和機１の運転や報知手段１８での報
知を制御する。
【００７３】
ここで、コントローラ３０について、図３を参照しつつ説明する。図３（ａ）は、コン
トローラ３０の上面の蓋部３３を開いた状態を示している。
【００７４】
コントローラ３０の左部３１には、表示部４１と、表示部４１の下方に配置された温度
調整ダイヤル４２と、温度調整ダイヤル４２の内側に配置された運転開始ボタン４３と、
温度調整ダイヤル４２の右下側に配置された停止ボタン４４とが設けられている。また、
コントローラ３０の右部３２には、運転選択ダイヤル４５と、風量選択ダイヤル４６と、
風向選択ダイヤル４７とが上から順に設けられている。
【００７５】
表示部４１には、運転表示部４１ａと、設定温度表示部４１ｂと、運転モード表示部４
１ｃとが表示されている。運転表示部４１ａには、運転選択ダイヤル４５で選択された運
転（自動、冷房、暖房、除湿及び送風のいずれかの運転）が表示される。また、設定温度
表示部４１ｂには、温度調整ダイヤル４２を回転することで変更された温度が表示される
。
【００７６】
温度調整ダイヤル４２は設定温度を変更するものであり、温度調整ダイヤル４２を右回
転することで設定温度を上げることができ、温度調整ダイヤル４２を左回転することで設
定温度を下げることができる。運転開始ボタン４３を押すことにより運転選択ダイヤル４
５により選択した運転が開始され、運転中に停止ボタン４４を押すことにより運転が停止
される。
【００７７】
コントローラ３０の右部３２の運転選択ダイヤル４５により、自動、冷房、暖房、除湿
及び送風のいずれかに切り換えて選択できる。風量選択ダイヤル４６により、風量を自動
、微（微量）、弱（少量）及び強（多量）のいずれかに切り換えて選択できる。風向選択
ダイヤル４７により、風向を自動、上（上方向）、中（水平方向）及び下（下方向）のい
ずれかに切り換えて選択できる。
【００７８】
そして、コントローラ３０の裏面には全体を覆う蓋部が設けられており、図３（ｂ）で
は蓋部を外した状態を示している。図３（ｂ）に示すように、コントローラ３０の裏面に
は、蓋部を外すと、モード切換部５０が設けられている。モード切換部５０により、空気
調和機１の高温防止モードを、強制運転モード、お知らせモード及び切のいずれかに切り
換えることができる。
【００７９】
お知らせモードでは、室内が高温状態や高湿状態である場合に、室内温度及び室内湿度
に基づいて、強制運転が自動的に開始される。したがって、お知らせモードに切り換えた
場合、室内が高温状態や高湿状態になったときに、ユーザがコントローラ３０に対して運
転開始操作を行わなかった場合でも、強制運転が自動的に開始されて、室内温度及び室内
湿度が低下する。
【００８０】
また、お知らせモードでは、室内が高温状態や高湿状態である場合に、室内温度及び室
内湿度に基づいて、運転開始を促す報知が自動的に行われる。
【００８１】
そして、お知らせモードに切り換えた場合、ユーザは、コントローラ３０で暖房（暖房
運転）を選択して運転開始操作を行うことができず、自動（自動運転）を選択して、自動
運転の運転開始操作だけを行うことができる。空気調和機１では、ユーザによって自動運
転が開始された場合、冷房運転の風量よりも低風量にすると共に、上下フラップ１７を可
動範囲の上端近くに配置して吹き出し方向を上方向に変更する。
【００８２】
空気調和機１では、お知らせモードにおいて強制運転を開始するかを判定する場合や、
お知らせモードにおいて報知を行うかを判定する場合に、室内温度及び室内湿度について
の判定図が使用される。判定図は、図４に示すように、縦軸は室内湿度（相対湿度）を示
し、横軸は室内温度を示している。
【００８３】
以下では、お知らせモードについて説明する。
【００８４】
図４は、お知らせモードにおける判定図の一例であるが、この判定図には、高温ゾーン
と、モニタリングゾーンと、待機ゾーンとが設定される。高温ゾーンは、室内が高温状態
や高湿状態であって、室内温度や室内湿度を低下させる必要がある領域である。待機ゾー
ンは、高温ゾーンに遠い領域であり、室内温度や室内湿度を低下させる必要がない領域で
ある。モニタリングゾーンは、高温ゾーンに近い領域であり、室内温度や室内湿度が高温
ゾーンに変化しやすい領域である。
【００８５】
図４の判定図において、Ａ点〜Ｆ点は、下記の室内温度及び室内湿度である点を示す。
・Ａ点：室内温度が２７度であり、室内湿度が１００％である点
・Ｂ点：室内温度が２７度であり、室内湿度が７０〜８０％の間のｙ１である点
・Ｃ点：室内温度が３３度であり、室内湿度が３０％である点
・Ｄ点：室内温度が２８度であり、室内湿度が１００％である点
・Ｅ点：室内温度が２８度であり、室内湿度が７０〜８０％の間のｙ２である点
・Ｆ点：室内温度が３４度であり、室内湿度が３０〜４０％の間のｙ３である点
【００８６】
そして、Ａ点とＢ点とＣ点を接続した線ｌ１が、待機ゾーンとモニタリングゾーンの間
の線であって、Ｄ点とＥ点とＦ点を接続した線ｌ２が、モニタリングゾーンと高温ゾーン
との間の線である。したがって、図４の判定図に示すように、待機ゾーンは、線ｌ１の左
下の領域であって、高温ゾーンは、線ｌ２の右上の領域（室内温度及び室内湿度が線ｌ２
上にある場合を含む）であって、モニタリングゾーンは、高温ゾーンと待機ゾーンとに挟
まれた領域（室内温度及び室内湿度が線ｌ１上にある場合を含む）である。
【００８７】
よって、空気調和機１の運転停止時において、お知らせモードに切り換えた場合、室内
温度及び室内湿度が、高温ゾーン、モニタリングゾーン及び待機ゾーンの各ゾーンにある
場合で運転動作が異なる。そこで、お知らせモードに切り換えられた後の各ゾーンでの運
転動作について説明する。
【００８８】
室内温度及び室内湿度が高温ゾーンにある場合には、室内温度や室内湿度を低下させる
必要があるため、運転開始を促す報知が行われる。
【００８９】
そして、室内温度及び室内湿度がモニタリングゾーンにある場合には、室内温度や室内
湿度が高温ゾーンに変化しやすいため、室内温度や室内湿度を適正に検出する必要がある
ので、送風運転を行う。送風運転とは、圧縮機を停止し、室内機の室内ファン１６が駆動
される運転である。空気調和機１では、室内温度センサ２１及び室内湿度センサ２２は、
室内機２の内部に取り付けられていることから、運転停止時において上下フラップ１７が
閉じて室内機の内部に熱がこもった場合に、室内温度及び室内湿度を適正に検出できない
場合がある。したがって、室内温度及び室内湿度がモニタリングゾーンにある場合に送風
運転を開始することで、室内機２の内部に空気が流れるので、室内温度及び室内湿度を適
正に検出できる。ここで、室内温度及び室内湿度がモニタリングゾーンにある場合の送風
運転では、冷房運転の風量よりも低風量にすると共に、上下フラップ１７を可動範囲の上
端近くに配置して吹き出し方向を上方向に変更する。
【００９０】
そして、室内温度及び室内湿度が待機ゾーンにある場合には、高温ゾーンに遠く、室内
温度や室内湿度を低下させる必要がないので、運転開始を促す報知や送風運転を行わない
。
【００９１】
このように、本実施形態では、お知らせモードにおいて、室内温度及び室内湿度が高温
ゾーンにある場合に、運転開始を促す報知が開始される。
【００９２】
次に、空気調和機１のお知らせモードにおける制御について、図５を参照しつつ説明す
る。
【００９３】
まず、空気調和機１の運転停止時において、コントローラ３０のモード切換部５０（図
３（ｂ）参照）によって、お知らせモードに切り換えられる（ステップＳ１）。ここでは
、お知らせモードに切り換えられたときの室内温度及び室内湿度が待機ゾーン（図４参照
）にある場合について説明する。
【００９４】
お知らせモードにおいて、室内温度センサ２１で検出された室内温度及び室内湿度セン
サ２２で検出された室内湿度が、モニタリングゾーンにあるかを判断する（ステップＳ２
）。室内温度及び室内湿度が待機ゾーンから高温ゾーンに変化する場合には、待機ゾーン
からモニタリングゾーンに変化した後で、高温ゾーンに変化すると考えられる。したがっ
て、ステップＳ２では、室内温度及び室内湿度がモニタリングゾーンにあるかに基づいて
、室内温度及び室内湿度が、冷房運転を開始する必要のある高温ゾーンに近付いたかを判
断する。
【００９５】
そして、室内温度及び室内湿度がモニタリングゾーンにあると判断した場合には（ステ
ップＳ２：ＹＥＳ）、室内ファン１６を駆動して、送風運転を開始する（ステップＳ３）
。室内温度及び室内湿度が高温ゾーンの近くのモニタリングゾーンにある場合、送風運転
を開始することで、室内機２の内部に空気が流れるので、室内温度及び室内湿度が適正に
検出できる。
【００９６】
一方、室内温度及び室内湿度がモニタリングゾーンにないと判断した場合には（ステッ
プＳ２：ＮＯ）、室内温度及び室内湿度が待機ゾーンにあるので、室内温度及び室内湿度
がモニタリングゾーンにあるかの判断を継続する（ステップＳ２）。
【００９７】
そして、ステップＳ３で送風運転を開始した後、室内温度センサ２１で検出された室内
温度及び室内湿度センサ２２で検出された室内湿度が、モニタリングゾーンにあるかを判
断する（ステップＳ４）。室内温度及び室内湿度がモニタリングゾーンにあると判断した
場合には（ステップＳ４：ＹＥＳ）、室内温度及び室内湿度が高温ゾーンの近くのモニタ
リングゾーンにあるので、室内温度及び室内湿度が適正に検出できるように、送風運転を
継続する（ステップＳ３）。
【００９８】
一方、室内温度及び室内湿度がモニタリングゾーンにないと判断した場合には（ステッ
プＳ４：ＮＯ）、送風運転を開始した後で、室内温度及び室内湿度が待機ゾーンまたは高
温ゾーンに変化したと考えられる。したがって、室内温度及び室内湿度が待機ゾーンにあ
るかを判断する（ステップＳ５）。そして、室内温度及び室内湿度が待機ゾーンにあると
判断した場合には（ステップＳ４：ＹＥＳ）、室内温度及び室内湿度が高温ゾーンに近い
モニタリングゾーンから、待機ゾーンに変化したので、送風運転を停止する（ステップＳ
６）。その後、ステップＳ２に移行して、室内温度及び室内湿度がモニタリングゾーンに
あるかを判断する。一方、室内温度及び室内湿度が待機ゾーンにないと判断した場合には
（ステップＳ５：ＮＯ）、室内温度及び室内湿度が高温ゾーンにあって、室内温度及び室
内湿度を低下させる必要があるので、運転開始を促す報知を開始する（ステップＳ７）。
【００９９】
＜本実施形態の空気調和機の特徴＞
本実施形態の空気調和機１では、室内が室内温度及び室内湿度を低下させる必要のある
状態になった場合に、報知手段１８により運転開始を促す報知が自動的に行われる。した
がって、室内温度及び室内湿度が高い状態で長時間継続されるのを抑制できるので、ユー
ザが熱中症等になることを防止できる。
【０１００】
また、本実施形態の空気調和機１では、室内ファン１６が駆動されて室内機２の内部に
空気が流れた状態での室内温度及び室内湿度に基づいて運転開始を促す報知を行うかを判
定するので、室内温度センサ２１や室内湿度センサ２２が室内機２の内部にあって運転停
止時において室内機２の内部に熱がこもった場合でも、室内温度及び室内湿度を適正に検
出できる。
【０１０１】
さらに、本実施形態の空気調和機１では、モニタリングゾーンを、運転開始を促す報知
が行われる高温ゾーンの近くにすることによって、室内温度及び室内湿度が、運転開始を
促す報知が行われる高温ゾーンに近付いた場合に、室内ファン１６を駆動することができ
る。したがって、室内温度及び室内湿度を適正に検出して運転開始を促す報知が行われる
かを判定できる。
【０１０２】
加えて、本実施形態の空気調和機１では、室内ファン１６が駆動された後に、室内温度
及び室内湿度が、運転開始を促す報知が行われる高温ゾーンの近くのモニタリングゾーン
にある場合に、室内ファン１６の駆動を継続できる。したがって、室内温度及び室内湿度
を適正に検出して運転開始を促す報知を行うかを判定できる。
【０１０３】
また、本実施形態の空気調和機１では、高温ゾーンを、室内温度及び室内湿度を低下さ
せる必要がある範囲にすることによって、室内温度及び室内湿度が高温ゾーンにある場合
に、運転開始を促す報知を行うことができる。
【０１０４】
さらに、本実施形態の空気調和機１では、室内ファン１６が駆動されるときの風量を冷
房運転時よりも小さくすることによって、ユーザの負担を軽減できる。
【０１０５】
加えて、本実施形態の空気調和機１では、室内ファン１６が駆動されるときに、室内機
２の上下フラップ１７の向きを変えて吹き出し方向を上方向に変更することにより、室内
機２からの風がユーザに直接吹き出されないので、ユーザの負担を軽減できる。
【０１０６】
また、本実施形態の空気調和機１では、お知らせモードで、コントローラ３０において
暖房運転を選択して運転開始操作を行うことができないため、誤って暖房運転が開始され
るのを防止できる。
【０１０７】
さらに、本実施形態の空気調和機１では、お知らせモードにおいて、自動運転だけを選
択して運転開始操作を行うことができるため、外気温度が低いときに暖房運転が行われる
。
【０１０８】
〔第２実施形態〕
次に、図６を参照しつつ、本発明の第２実施形態について説明する。第２実施形態の空
気調和機は、第１実施形態の空気調和機と、お知らせモードで運転開始を促す報知が行わ
れる時期が異なっている。なお、その他の構成は、上記第１実施形態と同様であるため、
同じ符号を用いて適宜その説明を省略する。
【０１０９】
第２実施形態の空気調和機において、運転開始を促す報知を行うかを判定する判定図は
、第１実施形態の空気調和機における判定図（図４）と同一である。
【０１１０】
そして、第１実施形態の空気調和機では、お知らせモードにおいて、室内温度及び室内
湿度が高温ゾーンにある場合に運転開始を促す報知が行われるのに対し、第２実施形態の
空気調和機では、お知らせモードにおいて、室内温度及び室内湿度が高温ゾーンにある場
合に運転開始を促す報知が行われると共に、室内温度及び室内湿度がモニタリングゾーン
に所定時間ある場合に運転開始を促す報知が行われる。
【０１１１】
次に、第２実施形態の空気調和機のお知らせモードにおける制御について説明する。
【０１１２】
まず、空気調和機の運転停止時において、コントローラのモード切換部５０（図３（ｂ
）参照）によって、お知らせモードに切り換えられる（ステップＳ２１）。ここでは、お
知らせモードに切り換えられたときの室内温度及び室内湿度が待機ゾーンにある場合につ
いて説明する。
【０１１３】
お知らせモードにおいて、室内温度センサ２１で検出された室内温度及び室内湿度セン
サ２２で検出された室内湿度が、モニタリングゾーンにあるかを判断する（ステップＳ２
２）。室内温度及び室内湿度が待機ゾーンから高温ゾーンに変化する場合には、待機ゾー
ンからモニタリングゾーンに変化した後で、高温ゾーンに変化すると考えられる。したが
って、ステップＳ２２では、室内温度及び室内湿度がモニタリングゾーンにあるかに基づ
いて、室内温度及び室内湿度が、冷房運転を開始する必要のある高温ゾーンに近付いたか
を判断する。
【０１１４】
そして、室内温度及び室内湿度がモニタリングゾーンにあると判断した場合には（ステ
ップＳ２２：ＹＥＳ）、室内ファン１６を駆動して、送風運転を開始する（ステップＳ２
３）。室内温度及び室内湿度が高温ゾーンの近くのモニタリングゾーンにある場合、送風
運転を開始することで、室内機２の内部に空気が流れるので、室内温度及び室内湿度が適
正に検出できる。
【０１１５】
一方、室内温度及び室内湿度がモニタリングゾーンにないと判断した場合には（ステッ
プＳ２２：ＮＯ）、室内温度及び室内湿度が待機ゾーンにあるので、ステップＳ２２に移
行して、室内温度及び室内湿度がモニタリングゾーンにあるかの判断を継続する。
【０１１６】
そして、ステップＳ２３で送風運転を開始した後、室内温度センサ２１で検出された室
内温度及び室内湿度センサ２２で検出された室内湿度が、モニタリングゾーンにあるかを
判断する（ステップＳ２４）。室内温度及び室内湿度がモニタリングゾーンにないと判断
した場合には（ステップＳ２４：ＮＯ）、送風運転を開始した後で、室内温度及び室内湿
度が待機ゾーンまたは高温ゾーンに変化したと考えられる。したがって、室内温度及び室
内湿度が待機ゾーンにあるかを判断する（ステップＳ２５）。室内温度及び室内湿度が待
機ゾーンにあると判断した場合には（ステップＳ２５：ＹＥＳ）、室内温度及び室内湿度
が高温ゾーンに近いモニタリングゾーンから待機ゾーンに変化したので、送風運転を停止
し（ステップＳ２６）、ステップＳ２２に移行して、室内温度及び室内湿度がモニタリン
グゾーンにあるかの判断を継続する。一方、ステップＳ２５で、室内温度及び室内湿度が
待機ゾーンにないと判断した場合には（ステップＳ２５：ＮＯ）、室内温度及び室内湿度
が高温ゾーンにあって、室内温度及び室内湿度を低下させる必要があるので、運転開始を
促す報知を行う（ステップＳ２７）。
【０１１７】
＜本実施形態の空気調和機の特徴＞
本実施形態の空気調和機では、第１実施形態の空気調和機と同様に、室内が室内温度及
び室内湿度を低下させる必要のある状態になった場合に、報知手段１８により運転開始を
促す報知が自動的に行われる。したがって、室内温度及び室内湿度が高い状態で長時間継
続されるのを抑制できるので、ユーザが熱中症等になることを防止できる。
【０１１８】
また、本実施形態の空気調和機では、室内ファン１６が駆動された後に、室内温度及び
室内湿度がモニタリングゾーンに所定時間ある場合に、運転開始を促す報知が行われる。
したがって、室内温度及び室内湿度が、報知が必要となる前に報知を行って、室内温度及
び室内湿度を低下させることが必要なことをユーザに知らせることができる。
【０１１９】
〔第３実施形態〕
次に、図７を参照しつつ、本発明の第３実施形態について説明する。第３実施形態の空
気調和機は、第１実施形態の空気調和機と、お知らせモードにおいて運転開始を促す報知
が行われる時期が異なっている。なお、その他の構成は、上記第１実施形態と同様である
ため、同じ符号を用いて適宜その説明を省略する。
【０１２０】
第３実施形態の空気調和機において、運転開始を促す報知を行うかを判定する判定図は
、第１実施形態の空気調和機における判定図（図４）と同一である。
【０１２１】
そして、第１実施形態の空気調和機では、お知らせモードにおいて、室内温度及び室内
湿度が高温ゾーンにある場合に運転開始を促す報知が行われるのに対して、第３実施形態
の空気調和機では、お知らせモードにおいて、室内ファン１６が駆動された後の室内温度
又は室内湿度が、室内ファン１６が駆動される前の室内温度又は室内湿度よりも上昇した
場合に運転開始を促す報知が行われる。
【０１２２】
次に、空気調和機のお知らせモードにおける制御について説明する。
【０１２３】
まず、空気調和機の運転停止時において、コントローラのモード切換部５０（図３（ｂ
）参照）によって、お知らせモードに切り換えられる（ステップＳ４１）。ここでは、お
知らせモードに切り換えられたときの室内温度及び室内湿度が待機ゾーンにある場合につ
いて説明する。
【０１２４】
お知らせモードにおいて、室内温度センサ２１で検出された室内温度及び室内湿度セン
サ２２で検出された室内湿度が、モニタリングゾーンにあるかを判断する（ステップＳ４
２）。室内温度及び室内湿度が待機ゾーンから高温ゾーンに変化する場合には、待機ゾー
ンからモニタリングゾーンに変化した後で、高温ゾーンに変化すると考えられる。したが
って、ステップＳ４２では、室内温度及び室内湿度がモニタリングゾーンにあるかに基づ
いて、室内温度及び室内湿度が、冷房運転を開始する必要のある高温ゾーンに近付いたか
を判断する。
【０１２５】
そして、室内温度及び室内湿度がモニタリングゾーンにあると判断した場合には（ステ
ップＳ４２：ＹＥＳ）、室内ファン１６を駆動して、送風運転を開始する（ステップＳ４
３）。室内温度及び室内湿度が高温ゾーンの近くのモニタリングゾーンにある場合、送風
運転を開始することで、室内機２の内部に空気が流れるので、室内温度及び室内湿度が適
正に検出できる。
【０１２６】
一方、室内温度及び室内湿度がモニタリングゾーンにないと判断した場合には（ステッ
プＳ４２：ＮＯ）、室内温度及び室内湿度が待機ゾーンにあると考えられるので、ステッ
プＳ２に移行して、室内温度及び室内湿度がモニタリングゾーンにあるかの判断を継続す
る。
【０１２７】
そして、ステップＳ４３で送風運転を開始した後、室内温度センサ２１で検出された室
内温度又は室内湿度センサ２２で検出された室内湿度が、送風運転を開始する前よりも上
昇したかを判断する（ステップＳ４４）。室内温度及び室内湿度が送風運転を開始する前
よりも上昇したと判断した場合には（ステップＳ４４：ＹＥＳ）、室内温度及び室内湿度
が冷房運転を開始する必要のある高温ゾーンに近付いたか又は室内温度及び室内湿度が高
温ゾーンに変化したと考えられる。このため、室内温度及び室内湿度を低下させる必要が
あるので、運転開始を促す報知を開始する（ステップＳ４５）。
【０１２８】
一方、室内温度及び室内湿度が送風運転を開始する前よりも上昇してないと判断した場
合には（ステップＳ４４：ＮＯ）、ステップＳ４３に移行して、送風運転を継続する。
【０１２９】
＜本実施形態の空気調和機の特徴＞
本実施形態の空気調和機では、第１実施形態の空気調和機と同様に、室内が室内温度及
び室内湿度を低下させる必要のある状態になった場合に、報知手段１８により運転開始を
促す報知が自動的に行われる。したがって、室内温度及び室内湿度が高い状態で長時間継
続されるのを抑制できるので、ユーザが熱中症等になることを防止できる。
【０１３０】
また、本実施形態の空気調和機では、室内ファン１６が駆動された後の室内温度又は室
内湿度が、室内ファン１６が駆動される前の室内温度又は室内湿度よりも上昇した場合に
、運転開始を促す報知が行われる。したがって、運転開始が必要となる前に報知を開始し
て、室内温度及び／又は室内湿度を低下させることが必要なことをユーザに知らせること
ができる。
【０１３１】
〔第４実施形態〕
次に、図８，９を参照しつつ、本発明の第４実施形態について説明する。第４実施形態
の空気調和機は、第１実施形態の空気調和機と比較して、お知らせモードで送風運転が行
われる時期と運転開始を促す報知が行われる時期とが異なっている。なお、その他の構成
は、上記第１実施形態と同様であるため、同じ符号を用いて適宜その説明を省略する。
【０１３２】
第４実施形態の空気調和機において、運転開始を促す報知を行うかを判定する判定図に
は、図８に示す判定図が用いられる。判定図の縦軸は室内湿度（相対湿度）を示し、横軸
は室内温度を示している。
【０１３３】
図８に示すように、判定図には、高温ゾーンと、待機ゾーンとが設定されている。図８
に示す高温ゾーンは、室内温度や室内湿度を低下させる必要がある領域であり、待機ゾー
ンは、室内温度や室内湿度を低下させる必要がない領域である。そして、第４実施形態の
空気調和機では、モニタリングゾーンが設定されてないので、お知らせモードに切り換え
た後で、送風運転を定期的に開始する。そして、送風運転は、所定送風時間が経過したと
きに停止される。
【０１３４】
図８の判定図に示すように、待機ゾーンは、第１実施形態の図４と同一の線ｌ２の左下
の領域であって、高温ゾーンは、線ｌ２の右上の領域（室内温度及び室内湿度が線ｌ２上
にある場合を含む）である。
【０１３５】
そして、室内温度及び室内湿度が高温ゾーンにある場合には、室内温度や室内湿度を低
下させる必要があるため、運転開始を促す報知が行われる。
【０１３６】
一方、室内温度及び室内湿度が待機ゾーンにある場合には、室内温度や室内湿度を低下
させる必要がない領域であるが、待機ゾーンは、高温ゾーンに遠い領域と、高温ゾーンに
近い領域（室内温度や室内湿度が高温ゾーンに変化しやすい領域）とを有しているので、
室内温度又は室内湿度が上昇傾向にあるときは、高温ゾーンに近付いているため、運転開
始を促す報知を行う。一方、室内温度及び室内湿度が待機ゾーンにある場合であって、室
内温度又は室内湿度が上昇傾向にないときは、運転開始を促す報知を行わない。したがっ
て、室内温度及び室内湿度が待機ゾーンにある場合に、送風運転が開始された後、運転開
始を促す報知が行われない状態で、所定送風時間が経過したときは、送風運転が停止され
る。
【０１３７】
このように、第１実施形態の空気調和機では、お知らせモードにおいて、室内温度及び
室内湿度が高温ゾーンにある場合に運転開始を促す報知を報知が開始されるのに対し、第
４実施形態の空気調和機では、お知らせモードにおいて、室内温度及び室内湿度が高温ゾ
ーンにある場合に運転開始を促す報知が行われると共に、送風運転を開始した後、室内温
度又は室内湿度（室内温度及び室内湿度の少なくとも一方）が上昇傾向にある場合に運転
開始を促す報知が行われる。
【０１３８】
次に、空気調和機のお知らせモードにおける制御について説明する。
【０１３９】
まず、空気調和機の運転停止時において、コントローラ３０のモード切換部５０（図３
（ｂ）参照）によって、お知らせモードに切り換えられる（ステップＳ５１）。ここでは
、お知らせモードに切り換えられたときの室内温度及び室内湿度が待機ゾーンにある場合
について説明する。
【０１４０】
お知らせモードにおいて、所定時間が経過したかを判断する（ステップＳ５２）。所定
時間が経過してないと判断した場合には（ステップＳ５２：ＮＯ）、所定時間が経過する
まで判断を継続する。そして、所定時間が経過した場合には（ステップＳ５２：ＹＥＳ）
、送風運転を開始する（Ｓ５３）。送風運転を開始した後、室内温度センサ２１で検出さ
れた室内温度及び室内湿度センサ２２で検出された室内湿度が、高温ゾーンにあるかを判
断する（ステップＳ５４）。室内温度及び室内湿度が高温ゾーンにあると判断した場合に
は（ステップＳ５４：ＹＥＳ）、運転開始を促す報知を開始する（ステップＳ５５）。
【０１４１】
一方、室内温度及び室内湿度が高温ゾーンにないと判断した場合には（ステップＳ５４
：ＮＯ）、送風運転を開始した後で所定送風時間が経過したかを判断する（ステップＳ５
６）。送風運転を開始した後、所定送風時間が経過したと判断した場合には（ステップＳ
５６：ＹＥＳ）、送風運転を停止する（ステップＳ５７）。そして、ステップＳ５２に移
行して、ステップＳ５３で送風運転を開始した後、所定送風時間が経過したかを判断する
。
【０１４２】
一方、ステップＳ５３で送風運転を開始した後、所定送風時間が経過してないと判断し
た場合には（ステップＳ５６：ＮＯ）、送風運転を開始した後で、室内温度センサ２１で
検出された室内温度又は室内湿度センサ２２で検出された室内湿度が上昇傾向であるかを
判断する（ステップＳ５８）。室内温度又は室内湿度が上昇傾向であると判断した場合に
は（ステップＳ５８：ＹＥＳ）、室内温度又は室内湿度が高温ゾーンに近付いているので
、運転開始を促す報知を行う（ステップＳ５５）。一方、室内温度又は室内湿度が上昇傾
向でないと判断した場合には（ステップＳ５８：ＮＯ）、ステップＳ５６に移行して、送
風運転を開始した後、所定送風時間が経過したかを判断する。
【０１４３】
＜本実施形態の空気調和機の特徴＞
本実施形態の空気調和機では、第１実施形態の空気調和機と同様に、室内が室内温度及
び室内湿度を低下させる必要のある状態になった場合に、報知手段１８により運転開始を
促す報知が自動的に行われる。したがって、室内温度及び室内湿度が高い状態で長時間継
続されるのを抑制できるので、ユーザが熱中症等になることを防止できる。
【０１４４】
また、本実施形態の空気調和機では、お知らせモードにおいて室内ファン１６が定期的
に駆動されるので、室内温度及び室内湿度を適正に検出して運転開始を促す報知が行われ
るかを判定できる。
【０１４５】
〔第５実施形態〕
次に、図１０を参照しつつ、本発明の第５実施形態について説明する。第５実施形態の
空気調和機は、第１実施形態の空気調和機と、ユーザがコントローラ３０において冷房運
転又は自動運転を選択した場合は運転開始を促す報知が停止される点と、冷房運転が選択
されたときに設定温度が所定温度以上である場合に、設定温度を低くするように促す報知
が行われる点とが異なっている。なお、その他の構成は、上記第１実施形態と同様である
ため、同じ符号を用いて適宜その説明を省略する。
【０１４６】
第５実施形態の空気調和機において、運転開始を促す報知の開始を判定する判定図は、
第１実施形態の空気調和機における判定図（図４）と同一である。そして、第５実施形態
の空気調和機では、お知らせモードに切り換えた場合、ユーザは、コントローラ３０で暖
房（暖房運転）を選択して運転開始操作を行うことができず、自動（自動運転）または冷
房（冷房運転）を選択して、自動運転又は冷房運転の運転開始操作だけを行うことができ
る。空気調和機では、ユーザによって自動運転または冷房運転が開始された場合、上下フ
ラップ１７を可動範囲の上端近くに配置して吹き出し方向を上方向に変更する。
【０１４７】
ここで、空気調和機１においてお知らせモードでの冷房運転は、設定温度２８℃の冷房
運転である。そして、室内温度が設定温度よりも１度以上低下したとき（室内温度が２７
度以下になったとき）に、冷房運転がサーモオフ状態となる。ここで、サーモオフ状態は
、圧縮機が停止され、室内ファン１６が駆動された状態である。空気調和機１では、冷房
運転がサーモオフ状態である場合、冷房運転よりも低風量にすると共に、上下フラップ１
７を可動範囲の上端近くに配置して吹き出し方向を上方向に変更するとよい。これにより
、ユーザへの負担を軽減することができる。
【０１４８】
次に、空気調和機のお知らせモードにおける制御について、図１０を参照しつつ説明す
る。
【０１４９】
まず、空気調和機の運転停止時において、コントローラ３０のモード切換え部５０（図
３（ｂ）参照）によって、お知らせモードに切り換えられる（ステップＳ９１）。ここで
は、お知らせモードに切り換えられたときの室内温度及び室内湿度が待機ゾーン（図４参
照）にある場合について説明する。
【０１５０】
お知らせモードにおいて、室内温度センサ２１で検出された室内温度及び室内湿度セン
サ２２で検出された室内湿度が、モニタリングゾーンにあるかを判断する（ステップＳ９
２）。室内温度及び室内湿度が待機ゾーンから高温ゾーンに変化する場合には、待機ゾー
ンからモニタリングゾーンに変化した後で、高温ゾーンに変化すると考えられる。したが
って、ステップＳ２では、室内温度及び室内湿度がモニタリングゾーンにあるかに基づい
て、室内温度及び室内湿度が、運転の開始を促す報知が必要である高温ゾーンに近付いた
かを判断する。
【０１５１】
そして、室内温度及び室内湿度がモニタリングゾーンにあると判断した場合には（ステ
ップＳ９２：ＹＥＳ）、室内ファン１６を駆動して、送風運転を開始する（ステップＳ９
３）。室内温度及び室内湿度が高温ゾーンの近くのモニタリングゾーンにある場合、送風
運転を開始することで、室内機２の内部に空気が流れるので、室内温度及び室内湿度が適
正に検出できる。
【０１５２】
一方、室内温度及び室内湿度がモニタリングゾーンにないと判断した場合には（ステッ
プＳ９２：ＮＯ）、室内温度及び室内湿度が待機ゾーンにあるので、室内温度及び室内湿
度がモニタリングゾーンにあるかの判断を継続する（ステップＳ９２）。
【０１５３】
そして、ステップＳ３で送風運転を開始した後、室内温度センサ２１で検出された室内
温度及び室内湿度センサ２２で検出された室内湿度が、モニタリングゾーンにあるかを判
断する（ステップＳ９４）。室内温度及び室内湿度がモニタリングゾーンにあると判断し
た場合には（ステップＳ９４：ＹＥＳ）、室内温度及び室内湿度が高温ゾーンの近くのモ
ニタリングゾーンにあるので、室内温度及び室内湿度が適正に検出できるように、送風運
転を継続する（ステップＳ９３）。
【０１５４】
一方、室内温度及び室内湿度がモニタリングゾーンにないと判断した場合には（ステッ
プＳ９４：ＮＯ）、送風運転を開始した後で、室内温度及び室内湿度が待機ゾーンまたは
高温ゾーンに変化したと考えられる。したがって、室内温度及び室内湿度が待機ゾーンに
あるかを判断する（ステップＳ９５）。そして、室内温度及び室内湿度が待機ゾーンにあ
ると判断した場合には（ステップＳ９４：ＹＥＳ）、室内温度及び室内湿度が高温ゾーン
に近いモニタリングゾーンから、待機ゾーンに変化したので、送風運転を停止する（ステ
ップＳ９６）。その後、ステップＳ９２に移行して、室内温度及び室内湿度がモニタリン
グゾーンにあるかを判断する。一方、室内温度及び室内湿度が待機ゾーンにないと判断し
た場合には（ステップＳ９５：ＮＯ）、室内温度及び室内湿度が高温ゾーンにあって、室
内温度及び室内湿度を低下させる必要があるので、運転開始を促す報知が自動的に行われ
る（ステップＳ９７）。
【０１５５】
運転開始を促す報知が行われた後、ユーザが、コントローラ３０において運転開始操作
を行ったかを判断する（ステップＳ９８）。ユーザが運転開始操作を行っていない場合に
は（ステップＳ９８：ＮＯ）、運転開始を促す報知が継続される。
【０１５６】
一方、ユーザが運転開始操作を行った場合には（ステップＳ９８：ＮＯ）、冷房運転又
は自動運転を選択して運転開始操作を行ったかを判断する（ステップＳ９９）。冷房運転
又は自動運転を選択して運転開始操作を行った場合には（ステップＳ９９：ＹＥＳ）、運
転開始を促す報知が停止される（ステップＳ１００）。そして、運転開始操作を行った運
転が冷房運転であるかが判断され（ステップＳ１０１）、冷房運転でない場合には（ステ
ップＳ１０１：ＮＯ）、自動運転（冷房運転の設定温度２８℃）が行われる（ステップＳ
１０２）。一方、運転開始操作を行った運転が冷房運転である場合には（ステップＳ１０
１：ＹＥＳ）、冷房運転が行われる（ステップＳ１０３）。そして、設定温度が所定温度
（２８℃）より高いかを判断する（ステップＳ１０４）。設定温度が所定温度以下の場合
には（ステップＳ１０４：ＮＯ）、設定温度が所定温度（２８℃）以下であり、室内温度
及び室内湿度を低下させることができるため、冷房運転が継続される。
【０１５７】
一方、設定温度が所定温度より高い場合には（ステップＳ１０４：ＹＥＳ）、室内温度
及び室内湿度を低下させることができないことから、設定温度を低くするように促す報知
が行われる（ステップＳ１０５）。
【０１５８】
そして、ユーザがコントローラ３０において温度調整ダイヤル４２を回転することによ
り設定温度を所定温度以下まで低下させる操作を行ったかを判断する（ステップＳ１０６
）。ユーザが設定温度を所定温度以下まで低下させる操作を行った場合には（ステップＳ
１０６：ＹＥＳ）、設定温度を低くするように促す報知が停止される（ステップＳ１０７
）。一方、ユーザが設定温度を所定温度以下まで低下させる操作を行わない場合には（ス
テップＳ１０４：ＮＯ）、設定温度を低くするように促す報知が継続される。
【０１５９】
＜本実施形態の空気調和機の特徴＞
本実施形態の空気調和機では、第１実施形態の空気調和機と同様に、室内が室内温度及
び室内湿度を低下させる必要のある状態になった場合に、報知手段１８により運転開始を
促す報知が自動的に行われる。したがって、室内温度及び室内湿度が高い状態で長時間継
続されるのを抑制できるので、ユーザが熱中症等になることを防止できる。
【０１６０】
また、本実施形態の空気調和機では、ユーザが冷房運転又は自動運転を選択するまで運
転開始を促す報知が継続されるので、室内温度及び室内湿度が高い状態で長時間継続され
るのを抑制できる。
【０１６１】
さらに、本実施形態の空気調和機では、ユーザが冷房運転を選択した場合でも、設定温
度が所定温度以上である場合に、設定温度を低くするように促す報知が行われる。したが
って、冷房運転が開始された場合でも、室内温度及び室内湿度が高い状態で長時間継続さ
れるのを抑制できる。
【０１６２】
以上、本発明の実施形態について図面に基づいて説明したが、具体的な構成は、これら
の実施形態に限定されるものでないと考えられるべきである。本発明の範囲は、上記した
実施形態の説明ではなく特許請求の範囲によって示され、さらに特許請求の範囲と均等の
意味および範囲内でのすべての変更が含まれる。
【０１６３】
例えば、上述の第１〜第５実施形態では、お知らせモードにおいて室内温度及び室内湿
度に基づいて運転開始の報知が行われるが、お知らせモードにおいて室内温度に基づいて
強制運転が自動的に開始されてもよい。この場合、運転開始の報知を行う判定図に、図１
１に示す判定図を使用する。図１１の判定図には、高温ゾーンと、モニタリングゾーンと
、待機ゾーンとが設定される。高温ゾーンは、室内温度が２８度以上の領域であり、待機
ゾーンは、室内温度が２７度未満の領域であり、モニタリングゾーンは室内温度が２７度
以上２８度未満の領域である。室内温度が高温ゾーンにある場合には、運転開始を促す報
知が行われる。室内温度がモニタリングゾーンにある場合には、送風運転を行う。室内温
度が待機ゾーンにある場合には、運転開始を促す報知が行われない。そして、空気調和機
のお知らせモードにおける制御は、第１〜第５実施形態において室内温度及び室内湿度に
基づいて行われるが、室内温度に基づいて行われる点で異なるが、その他は、第１〜第５
実施形態の図５〜７、図９，１０で示した制御と同様の方法で行われる。
【０１６４】
また、上述の第１〜第５実施形態では、お知らせモードにおいて室内温度及び室内湿度
に基づいて運転開始の報知が自動的に行われるが、お知らせモードにおいて室内湿度に基
づいて運転開始の報知が自動的に行われる参考例がある。そして、空気調和機のお知らせ
モードにおける制御は、第１〜第５実施形態において室内温度及び室内湿度に基づいて行
われるのが、室内湿度に基づいて行われる点で異なるが、その他は、第１〜第５実施形態
の図５〜７、図９，１０で示した制御と同様の方法で行われる。
【０１６５】
また、上述の第１〜第５実施形態では、空気調和機が外気温度検出手段を備えており、
お知らせモードにおいて、外気温度検出手段によって検出された外気温度が所定の外気温
度以下の場合に、運転開始の報知が行われないようにしてもよい。
【０１６６】
また、上述の第１〜第５実施形態では、お知らせモードにおいて、室内機に取り付けら
れた室内温度センサ及び室内湿度センサで検出された室内温度及び室内湿度に基づいて運
転開始の報知が行われるが、コントローラに取り付けられた室内温度センサ及び室内湿度
センサで検出された室内温度及び室内湿度に基づいて運転開始の報知が行われてもよい。
【０１６７】
また、上述の第１〜第５実施形態では、お知らせモードにおいて、室内温度及び室内湿
度がモニタリングゾーンにある場合の送風運転、ユーザがコントローラで自動運転を選択
して運転開始操作を行った場合の冷房運転又は自動運転では、冷房運転の風量よりも低風
量にすると共に、上下フラップを可動範囲の上端近くに配置して吹き出し方向を上方向に
変更するが、風量や吹き出し方向は変更可能である。
【０１６８】
また、上述の第１〜第４実施形態では、お知らせモードにおいて、ユーザは、コントロ
ーラ３０で自動（自動運転）を選択して、自動運転の運転開始操作だけを行うことができ
るが、送風（送風運転）や除湿（除湿運転）等の運転開始操作を行うことができるように
してもよい。同様に、上述の第５実施形態では、お知らせモードにおいて、ユーザは、コ
ントローラ３０で自動（自動運転）又は冷房（冷房運転）を選択して、自動運転又は冷房
運転の運転開始操作だけを行うことができるが、送風（送風運転）や除湿（除湿運転）等
の運転開始操作を行うことができるようにしてもよい。
【産業上の利用可能性】
【０１６９】
本発明を利用すれば、室内温度や室内湿度が高い状態であるときに、運転停止時におい
て、運転開始を促す報知を行うことができる。
【符号の説明】
【０１７０】
１  空気調和機
２  室内機
３  室外機
１６  室内ファン
１７  上下フラップ
１８  報知手段
２１  室内温度センサ
２２  室内湿度センサ
【図１】
0005870824.tif 000002
【図２】
0005870824.tif 000003
【図３】
0005870824.tif 000004
【図４】
0005870824.tif 000005
【図５】
0005870824.tif 000006
【図６】
0005870824.tif 000007
【図７】
0005870824.tif 000008
【図８】
0005870824.tif 000009
【図９】
0005870824.tif 000010
【図１０】
0005870824.tif 000011
【図１１】
0005870824.tif 000012